(57)【要約】【課題】いずれのオブジェクトが選択されたかを一見して確認する。【解決手段】画像表示装置であって、複数のオブジェクトを重畳した表示画像を生成する表示画像生成部と、表示画像生成部により生成された表示画像を画面上に表示する画像表示部と、画面上の位置、および、画面に対する操作を外部から受け付け、位置および操作に基づいて、表示画像における複数のオブジェクトのうちのいずれのオブジェクトが選択されたかを判断する選択判断部と、選択判断部により選択されたと判断されたオブジェクトが複数のオブジェクトのうちのいずれであるかを視覚的に示す指標画像を、画面上において表示画像とは別個の位置に配置する指標情報配置部とを備え、画像表示部は、表示画像に加えて指標画像を画面上に表示する。【選択図】図２
2007310327.tif 000002
【特許請求の範囲】
【請求項１】
複数のオブジェクトを重畳した表示画像を生成する表示画像生成部と、
前記表示画像生成部により生成された前記表示画像を画面上に表示する画像表示部と、
前記画面に対する操作を外部から受け付け、前記操作に基づいて、前記表示画像における前記複数のオブジェクトのうちのいずれのオブジェクトが選択されたかを判断する選択判断部と、
前記選択判断部により選択されたと判断されたオブジェクトが前記複数のオブジェクトのうちのいずれであるかを視覚的に示す指標画像を、前記画面上において前記表示画像とは別個の位置に配置する指標情報配置部と
を備え、
前記画像表示部は、前記表示画像に加えて前記指標画像を前記画面上に表示する画像表示装置。
【請求項２】
前記表示画像生成部は、前記画面上において前記表示画像とは別個の位置に、前記オブジェクトが削除される旨を視覚的に示すゴミ箱画像を配置し、
前記指標情報配置部は、前記画面上において前記指標画像を前記ゴミ箱画像の近傍に配置する請求項１に記載の画像表示装置。
【請求項３】
前記選択判断部は、前記操作を受け付けたときの前記表示画像上の位置に応じて、前記複数のオブジェクトのいずれが選択されたかを判断する請求項１に記載の画像表示装置。
【請求項４】
前記選択判断部は、前記オブジェクトのうちいずれかが選択されているときに、前記表示画像又は前記指標画像の表示されている位置で前記操作を受け付けた場合、選択されているオブジェクトと重畳している他のオブジェクトが選択されたものと判断する請求項１に記載の画像表示装置。
【請求項５】
前記表示画像生成部は、前記指標画像に対応して、前記選択判断部により選択されたと判断されたオブジェクトが前記複数のオブジェクトのうちのいずれであるかを視覚的に示す画像を、前記表示画像上に重畳して配置する請求項１に記載の画像表示装置。
【請求項６】
前記複数のオブジェクトは、レイアウトにおいて画像が割り付けられる枠、および、前記枠に割り付けられた割付画像を含む請求項１から５のいずれかに記載の画像表示装置。
【請求項７】
複数のオブジェクトを重畳した表示画像を生成し、
前記表示画像を画面上に表示し、
前記画面に対する操作を外部から受け付け、前記操作に基づいて、前記表示画像における前記複数のオブジェクトのうちのいずれのオブジェクトが選択されたかを判断し、
選択されたと判断されたオブジェクトが前記複数のオブジェクトのうちのいずれであるかを視覚的に示す指標画像を、前記画面上において前記表示画像とは別個の位置に配置し、
前記表示画像に加えて前記指標画像を前記画面上に表示する
画像表示方法。
【請求項８】
画面表示装置を制御するプログラムであって、前記画面表示装置に、
複数のオブジェクトを重畳した表示画像を生成する手順と、
前記表示画像を画面上に表示する手順と、
前記画面に対する操作を外部から受け付け、前記操作に基づいて、前記表示画像における前記複数のオブジェクトのうちのいずれのオブジェクトが選択されたかを判断する手順と、
選択されたと判断されたオブジェクトが前記複数のオブジェクトのうちのいずれであるかを視覚的に示す指標画像を、前記画面上において前記表示画像とは別個の位置に配置する手順と、
前記表示画像に加えて前記指標画像を前記画面上に表示する手順と
を実行させるプログラム。
【発明の詳細な説明】
【技術分野】
【０００１】
本発明は、画像表示装置、画像表示方法およびプログラムに関する。特に、本発明は、複数のオブジェクトを重畳した表示画像を画面上に表示する画像表示装置、画像表示方法およびプログラムに関する。
【背景技術】
【０００２】
削除すべきファイルの数または容量に応じて、これらのファイルを一時格納する領域に対応付けられたゴミ箱アイコンの表示を変化させる表示装置が知られている（例えば、特許文献１参照）。
【特許文献１】特開平７−３６７４９号公報
【発明の開示】
【発明が解決しようとする課題】
【０００３】
しかしながら、特許文献１に記載の表示装置は、画面上に複数の操作対象であるオブジェクトが表示されている場合において、いずれのオブジェクトがユーザにより選択されたかを一見して把握し難いという課題がある。具体的には特許文献１に記載の表示装置は、画面上に形式の異なる複数のファイルが表示されている場合において、削除すべきものとしてユーザが選択したときに、その選択されたファイルがいずれの形式のファイルであるか一見して把握し難いという課題がある。
【課題を解決するための手段】
【０００４】
上記課題を解決するために、本発明の第１の形態においては、画像表示装置であって、複数のオブジェクトを重畳した表示画像を生成する表示画像生成部と、表示画像生成部により生成された表示画像を画面上に表示する画像表示部と、画面に対する操作を外部から受け付け、操作に基づいて、表示画像における複数のオブジェクトのうちのいずれのオブジェクトが選択されたかを判断する選択判断部と、選択判断部により選択されたと判断されたオブジェクトが複数のオブジェクトのうちのいずれであるかを視覚的に示す指標画像を、画面上において表示画像とは別個の位置に配置する指標情報配置部とを備え、画像表示部は、表示画像に加えて指標画像を画面上に表示する。これにより、重畳して表示された複数のオブジェクトのうち、いずれのオブジェクトが選択されたかを一見して確認することができる。
【０００５】
表示画像生成部は、画面上において表示画像とは別個の位置に、オブジェクトが削除される旨を視覚的に示すゴミ箱画像を配置し、指標情報配置部は、画面上において指標画像をゴミ箱画像の近傍に配置してもよい。これにより、意図せず選択されたオブジェクトを誤って削除することを防止することができる。
【０００６】
選択判断部は、操作を受け付けたときの表示画像上の位置に応じて、複数のオブジェクトのいずれが選択されたかを判断してもよい。これにより、表示画像に重畳された複数のオブジェクトのうち一のオブジェクトを的確に選択することができる。
【０００７】
選択判断部は、オブジェクトのうちいずれかが選択されているときに、表示画像又は指標画像の表示されている位置で操作を受け付けた場合、選択されているオブジェクトと重畳している他のオブジェクトが選択されたものと判断する請求項１に記載の画像表示装置。これにより、表示画像に重畳された複数のオブジェクトのうち選択する一のオブジェクトの切り替えを簡便にすることができる。
【０００８】
表示画像生成部は、指標画像に対応して、選択判断部により選択されたと判断されたオブジェクトが複数のオブジェクトのうちのいずれであるかを視覚的に示す画像を、表示画像上に重畳して配置してもよい。これにより、重畳して表示された複数のオブジェクトのうち、いずれのオブジェクトが選択されたかをより一見して確認することができる。
【０００９】
複数のオブジェクトは、レイアウトにおいて画像が割り付けられる枠、および、枠に割り付けられた割付画像を含んでもよい。これにより、画像が割り付けられる枠または枠に割り付けられた割付画像のいずれが選択されたかを一見して確認することができる。
【００１０】
上記課題を解決するために、本発明の第２の形態においては、画像表示方法であって、複数のオブジェクトを重畳した表示画像を生成し、表示画像を画面上に表示し、画面に対する操作を外部から受け付け、操作に基づいて、表示画像における複数のオブジェクトのうちのいずれのオブジェクトが選択されたかを判断し、選択されたと判断されたオブジェクトが複数のオブジェクトのうちのいずれであるかを視覚的に示す指標画像を、画面上において表示画像とは別個の位置に配置し、表示画像に加えて指標画像を画面上に表示する。これにより、第１の形態と同様の効果を得ることができる。
【００１１】
上記課題を解決するために、本発明の第３の形態においては、画面表示装置を制御するプログラムであって、画面表示装置に、複数のオブジェクトを重畳した表示画像を生成する手順と、表示画像を画面上に表示する手順と、画面に対する操作を外部から受け付け、操作に基づいて、表示画像における複数のオブジェクトのうちのいずれのオブジェクトが選択されたかを判断する手順と、選択されたと判断されたオブジェクトが複数のオブジェクトのうちのいずれであるかを視覚的に示す指標画像を、画面上において表示画像とは別個の位置に配置する手順と、表示画像に加えて指標画像を画面上に表示する手順とを実行させる。これにより、第１の形態と同様の効果を得ることができる。
【００１２】
なお、上記の発明の概要は、本発明の必要な特徴の全てを列挙したものではなく、これらの特徴群のサブコンビネーションもまた、発明となりうる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１４】
図１は、画像表示装置１０の一例を示す概略図である。画像表示装置１０は、画像表示装置１０を制御するプログラムを実行する本体１２と、表示画面３０を有しユーザに対して本体１２からの出力に基づく表示をするディスプレイ１４と、ユーザから本体１２に対する入力デバイスの一例としてのキーボード１６およびマウス１８とを備える。デジタルカメラ２０およびスキャナ２２は、画像を読み込む手段の一例として、本体１２と接続される。
【００１５】
図２は、画像表示装置１０の一例を示すブロック図である。図３は、ウィンドウ画面３２の一例を模式的に示す。図４は、割付画像格納部１４０に格納された情報の一例を示す。図５は、指標画像格納部１５０に格納された情報の一例を示す。図６は、表示情報記憶部１６０に記憶された情報の一例を示す。
【００１６】
図２に示すように、本体１２は、表示画像生成部１００、画像表示部１１０、選択判断部１２０、指標情報配置部１３０、割付画像格納部１４０、指標画像格納部１５０、表示情報記憶部１６０を備える。記憶媒体２００は、表示画像生成部１００、画像表示部１１０、選択判断部１２０、指標情報配置部１３０、割付画像格納部１４０、指標画像格納部１５０および表示情報記憶部１６０の動作を行わせるプログラムを格納する。本体１２は記憶媒体２００に格納された上記プログラムをインストールすることにより、表示画像生成部１００等の動作を行わせてもよい。さらに、他の方法として、本体１２は、そのようなプログラムを、通信回線を介して取得してもよい。
【００１７】
画像表示部１１０は、図３に示すように表示画面３０に画像処理に係るグラフィックユーザインターフェースを有するウィンドウ画面３２を表示する。ウィンドウ画面３２は、サムネイル画像を表示するブラウズ領域３４、レイアウト４０の作成に関する入力を受け付けるレイアウト領域３６、および、プリントの指定に関する入力を受け付けるプリント領域３８を有する。
【００１８】
また、画像表示部１１０は、レイアウト４０に配されるオブジェクトを表示する。図３に示す例において画像表示部１１０は、レイアウト４０上に、画像が割り付けられる画像枠６０、６２、６４と、画像枠６０、６２に割り付けられた割付画像７０、７２と、これらのオブジェクトが削除される旨を視覚的に示すゴミ箱画像９０と、後述する指標画像８２とを表示している。この場合に画像表示部１１０は、複数のオブジェクトを重畳した表示画像を表示する。図３に示す例において画像表示部１１０は、画像枠６０と割付画像７０を重畳した表示画像５０、および、画像枠６２と割付画像７２を重畳した表示画像５２を表示している。なお、画像表示部１１０は、図３に示すように、ゴミ箱画像９０または指標画像８２の表示する場合であっても、表示画像５０等の表示を継続する。
【００１９】
割付画像格納部１４０は、図４に示すように、デジタルカメラ２０、スキャナ２２等から取得した画像を識別情報（以下、ＩＤという）に対応付けて格納する。割付画像格納部１４０は、さらにレイアウト領域３６に表示されるゴミ箱画像９０の画像を格納する。なお、割付画像格納部１４０に格納された画像は、入力デバイスによるユーザからの選択によりブラウズ領域３４に表示される。
【００２０】
指標画像格納部１５０は、図５に示すように、画像枠６０、６２、６４が選択された旨を視覚的に示す指標画像８０、および、割付画像７０、７２が選択された旨を視覚的に示す指標画像８２をＩＤに対応付けて格納する。図５に示す例において、指標画像格納部１５０は、画像枠６０、６２、６４が選択された旨を視覚的に示す指標画像８０として、内部に絵柄のない破線の四角形の画像を格納する。また、同例において、指標画像格納部１５０は、割付画像７０、７２が選択された旨を視覚的に示す指標画像８２として、人物像等の絵柄が表現された四角形の画像を格納する。
【００２１】
表示情報記憶部１６０は、図６（ａ）に示すように、画像表示部１１０により表示されるビットマップを記憶する。また、表示情報記憶部１６０は、図６（ｂ）に示すように、ビットマップに含まれるレイアウト領域３６、レイアウト４０、マウスポインタ、画像枠６０、６２、６４、割付画像７０、７２、指標画像８０、８２およびゴミ箱画像９０等の表示位置をＩＤに対応付けて記憶する。さらに、表示情報記憶部１６０は、図６（ｃ）に示すように、指標画像８０、８２を識別するＩＤに対応付けて表示の有無に関する表示有無フラグを記憶する。具体的には、図３に示す例においては、図６（ｃ）に示すように、表示情報記憶部１６０は、ＩＤ「Ｓ１」に対応付けて、当該ＩＤにより識別される画像を表示しないことを示す表示有無フラグ「０」を記憶し、ＩＤ「Ｓ２」に対応付けて、当該ＩＤにより識別される画像を表示することを示す表示有無フラグ「１」を記憶している。なお、表示情報記憶部１６０は、指標画像８０、８２およびゴミ箱画像９０の表示位置を予め記憶していてもよい。この場合に、表示情報記憶部１６０は、指標画像８０、８２の表示位置をゴミ箱画像９０の表示位置の近傍とすることが好ましい。これにより、意図せず選択されたオブジェクトを誤って削除することを防止することができる。
【００２２】
選択判断部１２０は、表示画面３０に対する操作を受け付ける。具体的には、選択判断部１２０は、マウス１８の移動情報およびマウスボタンの押下情報を外部からマウス情報として受け付ける。ここで、移動情報は、移動方向および移動量を含み、押下情報は、クリックされた旨およびクリックされたボタンを識別する情報を含む。例えば、選択判断部１２０は、マウス１８がユーザによって移動された場合に、移動方向および移動量を含む移動した旨の通知をマウス情報として受け付け、マウス１８がユーザによってクリックされた場合に、クリックされた旨の通知をマウス情報として受け付ける。
【００２３】
また、選択判断部１２０は、表示画面３０に対する操作に基づいて、表示画像５０、５２における複数のオブジェクトのうちのいずれのオブジェクトが選択されたかを判断する。例えば、選択判断部１２０は、クリックされた旨の通知をマウス情報として受け付けた場合には、表示情報記憶部１６０に記憶されたマウスポインタの座標に基づいて、クリックされた座標を取得する。そして選択判断部１２０は、取得した座標、および、表示情報記憶部１６０に記憶された画像枠６０、６２、６４、および、割付画像７０、７２の座標に基づいて、画像枠６０、６２、６４、または、割付画像７０、７２のうちのいずれが選択されたかを判断する。
【００２４】
表示画像生成部１００は、非図示の起動部による上記プログラムの起動によりウィンドウ画面３２のビットマップを生成する。また、表示画像生成部１００は、選択判断部１２０から取得した操作に基づいて、ウィンドウ画面３２のビットマップを生成する。例えば、表示画像生成部１００は、選択判断部１２０から取得したマウス情報に基づいて、ブラウズ領域３４に表示された複数のサムネイル画像を割付画像７０、７２として画像枠６０、６２に割り付けた表示画像５０、５２を生成する。さらに、表示画像生成部１００は、生成した表示画像５０、５２を含むビットマップを生成する。
【００２５】
指標情報配置部１３０は、選択判断部１２０により選択されたと判断されたオブジェクトが画像枠６０、６２、６４であるときは、指標画像８０を、表示画面３０上において表示画像５０、５２とは別個の位置に配置する。一方、指標情報配置部１３０は、選択判断部１２０により選択されたと判断されたオブジェクトが割付画像７０、７２であるときは、指標画像８２を、表示画面３０上において表示画像５０、５２とは別個の位置に配置する。
【００２６】
図７は、画像表示装置１０の動作の一例を示すフローチャートである。図８、図９および図１０は、レイアウト領域３６の表示の一例を模式的に示す。図１１は、表示画像５０を拡大した模式図である。本フローチャートの開始時点において、レイアウト領域３６の表示は図８であるものとする。なお、本フローチャートの開始時点において、表示情報記憶部１６０は、指標画像８０、８２、ゴミ箱画像９０の表示位置を予め記憶しているものとする。また、表示情報記憶部１６０は、指標画像８０、８２を識別するＩＤ「Ｓ１」「Ｓ２」に対応付けて表示有無フラグ「０」を記憶しているものとする。
【００２７】
選択判断部１２０は、マウス情報を外部から受け付けるまで待機する（Ｓ１００：Ｎｏ）。ステップＳ１００において、選択判断部１２０は、マウス情報を外部から受け付けたと判断した場合に（Ｓ１００：Ｙｅｓ）、受け付けたマウス情報がクリックされた旨の通知であるか否かを判断する（Ｓ１１０）。
【００２８】
ステップＳ１１０において、選択判断部１２０は、受け付けたマウス情報がクリックされた旨の通知でないと判断した場合に（Ｓ１１０：Ｎｏ）、受け付けたマウス情報が移動した旨の通知であるか否かを判断する（Ｓ１２０）。
【００２９】
ステップＳ１２０において、選択判断部１２０は、受け付けたマウス情報が移動した旨の通知であると判断した場合に（Ｓ１２０：Ｙｅｓ）、当該通知に含まれる移動方向および移動量を、表示画像生成部１００に通知する。表示画像生成部１００は、通知された移動方向および移動量、並びに、表示情報記憶部１６０に記憶された現在のマウスポインタの位置に基づいて、表示情報記憶部１６０に記憶されたマウスポインタの位置を移動後の位置に更新するとともに、新たなビットマップを生成する。そして画像表示部１１０は、表示情報記憶部１６０に記憶された新たなビットマップに基づいて表示する（Ｓ１３０）。
【００３０】
ステップＳ１２０において選択判断部１２０は、受け付けたマウス情報が移動した旨の通知でないと判断した場合に（Ｓ１２０：Ｎｏ）、ステップＳ１００に戻る。なお、選択判断部１２０は、チルトホイールの操作等を受け付けた場合に、受け付けたマウス情報がクリックされた旨の通知、および、マウス情報が移動した旨の通知でないと判断する。
【００３１】
一方、ステップＳ１１０において、選択判断部１２０は、受け付けたマウス情報がクリックされた旨の通知であると判断した場合に（Ｓ１１０：Ｙｅｓ）、画像枠６０、６２、６４または割付画像７０、７２がクリックされたか否かを判断する（Ｓ１４０）。具体的には、まず、選択判断部１２０は、表示情報記憶部１６０に記憶されたマウスポインタの位置を参照してレイアウト領域３６におけるクリックされた位置を取得する。そして選択判断部１２０は、表示情報記憶部１６０に記憶された画像枠６０、６２、６４の位置を参照して、クリックされた位置が画像枠６０、６２、６４の表示位置である場合には、画像枠６０、６２、６４または割付画像７０、７２がクリックされたと判断する。
【００３２】
ステップＳ１４０において、選択判断部１２０は、画像枠６０、６２、６４または割付画像７０、７２がクリックされたと判断した場合に（Ｓ１４０：Ｙｅｓ）、割付画像７０、７２がクリックされたか否かをさらに判断する（Ｓ１５０）。具体的には、選択判断部１２０は、表示情報記憶部１６０に記憶された割付画像７０、７２の座標を参照して、クリックされた座標が割付画像７０、７２の表示位置である場合には、割付画像７０、７２がクリックされたと判断する。
【００３３】
ステップＳ１５０において、選択判断部１２０は、割付画像７０、７２がクリックされたと判断した場合には（Ｓ１５０：Ｙｅｓ）、まず、割付画像７０、７２がクリックされた旨を表示画像生成部１００に通知する。表示画像生成部１００は、割付画像７０、７２が選択された旨を視覚的に示す画像をクリックされた割付画像７０、７２に重畳して配置する。具体的には、表示画像生成部１００は、割付画像７０がクリックされた旨の通知を受けた場合に、割付画像７０が選択された旨を視覚的に示す画像を割付画像７０に重畳させた新たなビットマップを生成する。そして画像表示部１１０は、図９に示すように、表示情報記憶部１６０に記憶された新たなビットマップに基づいた表示をする（Ｓ１６０）。なお、図９に示す例において、表示画像生成部１００は、割付画像７０が選択された旨を視覚的に示す画像として、割付画像７０の周囲に斜線による外枠を表示する。これにより、重畳された割付画像７０および画像枠６０のうち、割付画像７０が選択されたことを一見して確認することができる。
【００３４】
さらにステップＳ１５０において、選択判断部１２０は、割付画像７０、７２がクリックされたと判断した場合に（Ｓ１５０：Ｙｅｓ）、割付画像７０、７２がクリックされた旨を指標情報配置部１３０に通知する。指標情報配置部１３０は、指標画像８２を識別するＩＤ「Ｓ２」に対応付けて記憶している表示有無フラグ「０」を「１」に変更する。指標情報配置部１３０は、また、指標画像８２を所定の位置に配置した新たなビットマップを生成する。そして画像表示部１１０は、図９に示すように、表示情報記憶部１６０に記憶されているビットマップに基づいて指標画像８２を表示する（Ｓ１７０）。そして本フローチャートは終了する。これにより、重畳された割付画像７０および画像枠６０のうち、割付画像７０が選択されたことを、当該画像とは別の位置において、一見して確認することができる。なお、指標情報配置部１３０は、指標画像８０を識別するＩＤ「Ｓ１」に対応付けて表示有無フラグ「１」が記憶されていた場合には「０」に変更する。
【００３５】
一方、ステップＳ１５０において選択判断部１２０は、割付画像７０、７２がクリックされていないと判断した場合に（Ｓ１５０：Ｎｏ）、すなわち画像枠６０、６２、６４がクリックされたと判断した場合に、まず、画像枠６０、６２、６４がクリックされた旨を表示画像生成部１００に通知する。これに基づき、表示画像生成部１００は、画像枠６０、６２、６４が選択された旨を視覚的に示す画像をクリックされた画像枠６０、６２、６４に重畳して配置する。具体的には、表示画像生成部１００は、画像枠６０がクリックされた旨の通知を受けた場合に、画像枠６０が選択された旨を視覚的に示す画像を画像枠６０に重畳させた新たなビットマップを生成する。そして画像表示部１１０は、図１０に示すように、表示情報記憶部１６０に記憶された新たなビットマップに基づいた表示をする（Ｓ１８０）。図１０に示す例において、表示画像生成部１００は、画像枠６０が選択された旨を視覚的に示す画像として、画像枠６０の外側および中央に選択マーク３００を表示する。これにより、これにより、重畳された割付画像７０および画像枠６０のうち、画像枠６０が選択されたことを一見して確認することができる。
【００３６】
さらにステップＳ１５０において選択判断部１２０は割付画像７０、７２がクリックされていないと判断した場合には（Ｓ１５０：Ｎｏ）、選択判断部１２０は画像枠６０、６２、６４がクリックされた旨を指標情報配置部１３０に通知する。指標情報配置部１３０は、指標画像８０を識別するＩＤ「Ｓ１」に対応付けて記憶している表示有無フラグ「０」を「１」に変更する。指標情報配置部１３０は、また、指標画像８０を所定の位置に配置した新たなビットマップを生成する。そして画像表示部１１０は、図１０に示すように、表示情報記憶部１６０に記憶されているビットマップに基づいて指標画像８０を表示する（Ｓ２００）これにより、重畳された割付画像７０および画像枠６０のうち、画像枠６０が選択されたことを、当該画像とは別の位置において、一見して確認することができる。そして本フローチャートは終了する。なお、指標情報配置部１３０は、指標画像８２を識別するＩＤ「Ｓ２」に対応付けて表示有無フラグ「１」が記憶されていた場合には「０」に変更する。
【００３７】
一方、ステップＳ１４０において、選択判断部１２０は、画像枠６０、６２、６４または割付画像７０、７２がクリックされていないと判断した場合に（Ｓ１４０：Ｎｏ）、まず、画像枠６０、６２、６４または割付画像７０、７２がクリックされていない旨を表示画像生成部１００に通知する。この場合に、表示画像生成部１００は、画像枠６０、６２、６４が選択された旨を視覚的に示す画像を画像枠６０、６２、６４に重畳して配置しているときに、画像枠６０、６２、６４が選択された旨を視覚的に示す画像をはずして、新たなビットマップを生成する。同様に、この場合に、表示画像生成部１００は、割付画像７０、７２が選択された旨を視覚的に示す画像を割付画像７０、７２に重畳して配置しているときに、割付画像７０、７２が選択された旨を視覚的に示す画像をはずして、新たなビットマップを生成する。そして画像表示部１１０は、図８に示すように、表示情報記憶部１６０に記憶された新たなビットマップに基づいて表示する（Ｓ２００）。
【００３８】
さらに、選択判断部１２０は、画像枠６０、６２、６４または割付画像７０、７２がクリックされていない旨を指標情報配置部１３０に通知する。指標情報配置部１３０は、指標画像８０を識別するＩＤ「Ｓ１」に対応付けて記憶している表示有無フラグが「１」であるときは「０」に変更し、指標画像８２を識別するＩＤ「Ｓ２」に対応付けて記憶している表示有無フラグが「１」であるときは「０」に変更する。指標情報配置部１３０は、また、指標画像８０、８２を除いた新たなビットマップを生成する。そして画像表示部１１０は、図８に示すように、表示情報記憶部１６０に記憶されているビットマップに基づいて表示する（Ｓ２１０）。そして本フローチャートは終了する。
【００３９】
また、選択判断部１２０が表示情報記憶部１６０に記憶された指標画像８０又はゴミ箱画像９０の表示位置においてマウス１８がクリックされたと判断した場合であって、表示情報記憶部１６０に指標画像８０を識別するＩＤ「Ｓ１」に対応付けて表示有無フラグ「１」を記憶しているときは、画像表示部１１０は、例えば選択されている画像枠６０、および、その画像枠６０に重畳された割付画像７０を削除したビットマップを表示し、ＩＤ「Ｓ１」に対応する表示有無フラグを「０」にすることが好ましい。また、選択判断部１２０は、表示情報記憶部１６０に記憶された指標画像８２又はゴミ箱画像９０の表示位置においてマウス１８がクリックされたと判断した場合であって、表示情報記憶部１６０に指標画像８２を識別するＩＤ「Ｓ２」に対応付けて表示有無フラグ「１」を記憶しているときは、画像表示部１１０は、例えば選択された割付画像７０を削除したビットマップを表示し、ＩＤ「Ｓ２」に対応する表示有無フラグを「０」にすることが好ましい。
【００４０】
なお、ステップＳ１７０において指標情報配置部１３０が指標画像８２を配置した新たなビットマップを生成しているが、これにかえて、画像表示部１１０が、指標画像８２を識別するＩＤ「Ｓ２」に対応付けて記憶している表示有無フラグ「１」を参照して、当該ビットマップを生成してもよい。ステップＳ２００についても同様であってもよい。
【００４１】
また、表示情報記憶部１６０は、図６に示す情報に加えて、表示画像上の領域に対応付けて、重畳されている画像枠、または、重畳されている割付画像の何れが選択されたかを示す情報を記憶してもよい。例えば、表示情報記憶部１６０は、図１１に示すように、画像枠６０の領域に含まれかつ割付画像７０の領域に含まれない領域である選択決定領域３０２に対応付けて画像枠６０を選択する旨の情報を記憶し、割付画像７０の領域のうち外側の領域である選択決定領域３０４に対応付けて画像枠６０を選択する旨の情報を記憶し、割付画像７０の領域のうち内側の領域である選択決定領域３０６に対応付けて割付画像７０を選択する旨の情報を記憶してもよい。この場合、ステップＳ１５０において、選択判断部１２０は表示情報記憶部１６０に記憶された上記情報を参照して、画像枠６０が選択されたか割付画像７０が選択されたかを判断する。これにより、表示画像５０において選択決定領域３０２が狭い場合であっても画像枠６０を容易に選択することができる。
【００４２】
以上、本実施例によれば、選択されたオブジェクトが画像枠６０、６２か割付画像７０、７２かを一見して確認することができる。なお、本実施例において、選択判断部１２０は、表示画像５０において画像枠６０が選択されたか、割付画像７０が選択されたかをこれらの表示位置に基づいて判断しているが、これに限定されない。一例として、選択判断部１２０は、表示位置に基づく判断に加えて、またはかえて、表示画像５０がクリックされる度に、画像枠６０と割付画像７０とを交互に選択してもよい。例えば、表示情報記憶部１６０は、座標に加えて、画像枠と割付画像とを対応付けて記憶するとともに、何れの画像枠または選択画像が選択されているかを示す情報をさらに記憶し、選択判断部１２０は、選択されている画像枠または選択画像に係る表示画像上でクリックされた旨の通知を受け付けた場合には、当該画像枠または当該割付画像のうち選択されていない他の一方が選択されたと判断してもよい。同様に、選択判断部１２０は、指標画像８０、８２がクリックされる度に、指標画像８０、８２がクリックされる直前に選択されていた画像枠６０または割付画像７０の表示画像に関する、画像枠６０と割付画像７０とを交互に選択してもよい。
【００４３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４４】
【図１】画像表示装置１０の一例を示す概略図である。
【図２】画像表示装置１０の一例を示すブロック図である。
【図３】ウィンドウ画面３２の一例を模式的に示す。
【図４】割付画像格納部１４０に格納された情報の一例を示す。
【図５】指標画像格納部１５０に格納された情報の一例を示す。
【図６】表示情報記憶部１６０に記憶された情報の一例を示す。
【図７】画像表示装置１０の動作の一例を示すフローチャートである。
【図８】レイアウト領域３６の表示の一例を模式的に示す。
【図９】レイアウト領域３６の表示の一例を模式的に示す。
【図１０】レイアウト領域３６の表示の一例を模式的に示す。
【図１１】表示画像５０を拡大した模式図である。
【符号の説明】
【００４５】
１０  画像表示装置、１２  本体、１４  ディスプレイ、１６  キーボード、１８  マウス、２０  デジタルカメラ、２２  スキャナ、３０  表示画面、３２  ウィンドウ画面、３４  ブラウズ領域、３６  レイアウト領域、３８  プリント領域、４０  レイアウト、５０  表示画像、５２  表示画像、６０  画像枠、６２  画像枠、６４  画像枠、７０  割付画像、７２  割付画像、８０  指標画像、８２  指標画像、９０  ゴミ箱画像、１００  表示画像生成部、１１０  画像表示部、１２０  選択判断部、１３０  指標情報配置部、１４０  割付画像格納部、１５０  指標画像格納部、１６０  表示情報記憶部、２００  記憶媒体、３００  選択マーク、３０２  選択決定領域、３０４  選択決定領域、３０６  選択決定領域
【図１】
2007310327.tif 000003
【図２】
2007310327.tif 000004
【図３】
2007310327.tif 000005
【図４】
2007310327.tif 000006
【図５】
2007310327.tif 000007
【図６】
2007310327.tif 000008
【図７】
2007310327.tif 000009
【図８】
2007310327.tif 000010
【図９】
2007310327.tif 000011
【図１０】
2007310327.tif 000012
【図１１】
2007310327.tif 000013